(57)【要約】  【課題】カバーが円滑に回転でき、非常に美しい形状とすることができるヒンジおよびコンパクトで外観を損なうことのない電子機器を提供する。【解決手段】ヒンジは、カバーと電子機器のベースの間に設けられる。この蓋は、ヒンジを覆い、ベースに確実に取り付けられる。このヒンジは、アーチ状曲面と回転軸を有する。該カバーが或る角度で回動すると、回転軸がアーチ状曲面に当接してカバーを持ち上げると、カバーは蓋から選択的に遠のく。従って、電子機器の形状は損なわれず、そして、カバーは蓋に干渉しない。  【選択図】図１
0003152018.tif 000002
【実用新案登録請求の範囲】
【請求項１】
第１側面と、上記第１側面の反対側にある第２側面と、第１端面と、上記第１端面の反対側にあり、上記第１および第２側面に隣接する第２端面と、および上記第１および第２側面を貫いて縦軸方向に形成される透孔を有する中央フレームと、
上記中央フレームの第１端面に形成されると共に該端面から横軸方向に突出する第１チルト軸と、および
上記中央フレームの第２端面に形成されると共に該端面から横軸方向に突出する第２チルト軸と、
を有するチルト組立体と；
上記チルト組立体の中央フレームの透孔を貫いて回転自在に設けられ、
側壁と、連結端と、および該連結端の反対側にある保持端を有する中空のスリーブと、
該スリーブを貫いて摺動自在に設けられ、上記スリーブの連結端から外方に突出する先端と、および該スリーブの保持端から外方に突出する取付端を有する回転軸と、および
上記スリーブに設けられ、上記回転軸の周りに設けられる弾性部材と
から成る回転組立体と；および
上記チルト組立体および上記回転組立体に連結され、
端縁と、および上記第１チルトブラケットの端縁に形成されると共にこれから突設され、上記回転軸に面するアーチ状曲面を有し、該回転軸の先端に選択的に隣接する延設翼を有する第１チルトブラケットと、および
上記第２チルト軸の周りに回転自在に取り付けられる第２チルトブラケットと
から成るブラケット組立体と；
から構成されることを特徴とするヒンジ。
【請求項２】
上記スリーブが、この側壁を貫いて形成され相互に反対側にある２つの溝を有し、
上記回転軸が、上記回転軸を貫いて横軸方向に形成され、上記スリーブの溝と同一方向に整列される取付孔を有し、および
上記回転組立体が、上記スリーブの溝に各々設けられ、上記回転軸の取付孔に確実に取り付けられ、上記弾性部材に対して押圧する２つのピンを有する
ことを特徴とする請求項１に記載のヒンジ。
【請求項３】
上記回転組立体が、上記スリーブに摺動自在に設けられ、上記回転軸の周りに設けられる押圧座金と、および上記スリーブの保持端に確実に取り付けられ、上記回転軸の周りに設けられる保持座金を有し、
上記弾性部材が上記押圧座金と保持座金の間に設けられると共に隣接し、
上記ピンが上記押圧座金を押圧する
ことを特徴とする請求項２に記載のヒンジ。
【請求項４】
上記チルト組立体が、上記第２チルト軸の周りに設けられるスプリングと、および上記第２チルト軸の周りに設けられ、位置決め機能を発揮するように上記スプリングに当接する位置決め組立部材を有する
ことを特徴とする請求項１ないし３のいずれかの項に記載のヒンジ。
【請求項５】
上記チルト組立体が、上記第１および第２チルト軸に各々確実に設けられる２つの規制座金を有し、各規制座金が、外縁と、上記規制座金の外縁に形成され、該座金の外周縁から放射方向に突出する規制突起を有し、
上記第１チルトブラケットが、上記第１チルトブラケットを貫いて形成され、対応する規制座金の規制突起を選択的に受け止める規制孔を有し、および
上記第２チルトブラケットが、上記第２チルトブラケットを貫いて形成され、対応する規制座金の規制突起を選択的に受け止める規制孔を有する
ことを特徴とする請求項１ないし４のいずれかの項に記載のヒンジ。
【請求項６】
上記チルト組立体の中央フレームが、上記第２側面に形成され、上記中央フレームの透孔に隣接する２つの位置決め突起と、および上記第２側面に形成されると共に該側面から縦軸方向に突出する規制突起を有し、
上記スリーブが、上記スリーブの連結端に形成されると共に該端から縦軸方向に突出し、上記チルト組立体の中央フレームを貫いて回転自在に設けられ、非円形断面を有する取付ロッドを有し、および
上記回転組立体が、
上記スリーブの取付ロッドの周りに設けられ、上記取付ロッドの形状に符合する非円形中心孔と、上記中央フレームの第２側面に面する隣接面と、および上記位置決め座金の隣接面に形成され、上記中央フレームの上記位置決め突起に各々係合する２つの位置決め溝を有する位置決め座金と、
上記スリーブの取付ロッドの周りに設けられ、上記位置決め座金に隣接する複数の弾性座金と、
上記スリーブの取付ロッドに係合する非円形中心孔と、環状縁と、および上記規制リングの環状縁と交差するように形成され、上記中央フレームの規制突起に選択的に隣接する規制突起を有する規制リングと、および
上記スリーブの取付ロッドの周りに確実に取り付けられて上記規制リングと弾性座金を保持する固定リングを有する
ことを特徴とする請求項１ないし５のいずれかの項に記載のヒンジ。
【請求項７】
上記ブラケット組立体が、上記回転軸に確実に取り付けられる回転ブラケットを有することを特徴とする請求項１ないし６のいじれかの項に記載のヒンジ。
【請求項８】
ベースと、ベースに回動自在に連結されるカバーと、上記ベースと上記カバーの間に連結され、下記の構成を有するヒンジと、および蓋と、から成る電子機器であって、上記ヒンジが、第１側面と、上記第１側面の反対側にある第２側面と、第１端面と、上記第１端面の反対側にあり、上記第１および第２側面に隣接する第２端面および上記第１および第２側面を貫いて縦軸方向に形成される透孔を有する中央フレームと、
上記中央フレームの第１端面に形成されると共に該端面から横軸方向に突出する第１チルト軸と、および
上記中央フレームの第２端面に形成されると共に該端面から横軸方向に突出する第２チルト軸と、
を有するチルト組立体と；
上記チルト組立体の中央フレームの透孔を貫いて回転自在に設けられ、
側壁と、連結端と、および該連結端の反対側にある保持端を有する中空のスリーブと、
該スリーブを貫いて摺動自在に設けられ、上記スリーブの連結端から外方に突出する先端と、および該スリーブの保持端から外方に突出する取付端を有する回転軸と、および
上記スリーブに設けられ、上記回転軸の周りに設けられる弾性部材とから成る回転組立体と；および
上記チルト組立体および上記回転組立体に連結され、端縁と、および上記第１チルトブラケットの端縁に形成されると共にこれから突設され、上記回転軸に面するアーチ状曲面を有し、該回転軸の先端に選択的に隣接する延設翼を有する第１チルトブラケットと、および
上記第２チルト軸の周りに回転自在に取り付けられる第２チルトブラケットとから成るブラケット組立体と；
から構成される、ことを特徴とするヒンジを備えた電子機器。
【請求項９】
上記ブラケット組立体が、上記回転軸に確実に取り付けられ、上記カバーに確実に取り付けられる回転ブラケットを有する
ことを特徴とする請求項８に記載のヒンジを備えた電子機器。
【請求項１０】
上記スリーブが、この側壁を貫いて形成され相互に反対側にある２つの溝を有し、
上記回転軸が、上記回転軸を貫いて横軸方向に形成され、上記スリーブの溝と同一方向に整列される取付孔を有し、および
上記回転組立体が、上記スリーブの溝に各々設けられ、上記回転軸の取付孔に確実に取り付けられ、上記弾性部材に対して押圧する２つのピンを有する
ことを特徴とする請求項９に記載のヒンジを備えた電子機器。
【請求項１１】
上記回転組立体が、
上記スリーブに摺動自在に設けられ、上記回転軸の周りに設けられ押圧座金と、
上記スリーブの保持端に確実に取り付けられ、上記回転軸の周りに設けられる保持座金と、
上記押圧座金と上記保持座金の間に設けられ、隣接する弾性部材と、および、
上記押圧座金に対して押圧するピンを有する
ことを特徴とする請求項１０に記載のヒンジを備えた電子機器。
【請求項１２】
上記チルト組立体が、上記第２チルト軸の周りに設けられるスプリングと、および、上記第２チルト軸の周りに設けられ、チルト組立体のスプリングに当接する位置決め組立部材を有する
ことを特徴とする請求項８ないし１１のいずれかの項に記載のヒンジを備えた電子機器。
【請求項１３】
上記チルト組立体が、上記第１および第２チルト軸に各々確実に設けられる２つの規制座金を有し、各規制座金が、外周縁と、上記規制座金の外周縁に形成され、該座金の外周縁から放射方向に突出する規制突起を有し、
上記第１チルトブラケットが、上記第１チルトブラケットを貫いて形成され、対応する規制座金の規制突起を選択的に受け止める規制孔を有し、および
上記第２チルトブラケットが、上記第２チルトブラケットを貫いて形成され、対応する規制座金の規制突起を選択的に受け止める規制孔を有する
ことを特徴とする請求項８ないし１２のいずれかの項に記載のヒンジを備えた電子機器。
【請求項１４】
上記チルト組立体の中央フレームが、上記第２側面に形成され、上記中央フレームの透孔に隣接する２つの位置決め突起と、および上記第２側面に形成されると共に該側面から縦軸方向に突出する規制突起を有し、
上記スリーブが、この連結端に形成されると共に該端から縦軸方向に突出し、上記チルト組立体の中央フレームを貫いて回転自在に設けられ、非円形断面を有する取付ロッドを有し、および
上記回転組立体が、
上記スリーブの取付ロッドの周りに設けられ、上記取付ロッドの形状に符合する非円形中心孔と、上記中央フレームの第２側面に面する隣接面と、および上記位置決め座金の隣接面に形成され、上記中央フレームの上記位置決め突起に各々係合する２つの位置決め溝を有する位置決め座金と、
上記スリーブの取付ロッドの周りに設けられ、上記位置決め座金に隣接する複数の弾性座金と、
上記スリーブの取付ロッドに係合する非円形中心孔と、環状縁と、および上記規制リングの環状縁と交差するように形成され、上記中央フレームの規制突起に選択的に隣接する規制突起を有する規制リングと、および
上記スリーブの取付ロッドの周りに確実に取り付けられて上記規制リングと弾性座金を保持する固定リングを有する
ことを特徴とする請求項８ないし１３のいずれかの項に記載のヒンジを備えた電子機器。
【考案の詳細な説明】
【技術分野】
【０００１】
本考案は、ヒンジおよびそのヒンジを備えた電子機器に関し、特に、カバーおよび電子機器のベース間に設けられ、カバーが回動している間にスライドする軸を有するヒンジに関する。
【背景技術】
【０００２】
第８図および第９図において、携帯電話やノート型コンピュータなどの従来型電子機器は、ベース９０，９０Ａ、カバー９２，９２Ａ、従来型ヒンジ９１，９１Ａ、蓋９３，９３Ａを有する。該従来型ヒンジ９１，９１Ａは、上記ベース９０，９０Ａとカバー９２，９２Ａの間に設けられて、該カバー９２，９２Ａを該ベース９０，９０Ａに対して回動可能とする。上記蓋９３，９３Ａは、上記ベース９０，９０Ａに取り付けられ、上記従来型ヒンジ９１，９１Ａを覆って、従来型電子機器を装飾する。
【０００３】
上記カバー９２，９２Ａが上記ベース９０，９０Ａに対して回動すると、上記蓋９３，９３Ａが該カバー９２，９２Ａの端部に当接して、該カバー９２，９２Ａの回動を阻止する。該カバー９２，９２Ａと該蓋９３，９３Ａとの当接を解消するために、次のような２つの従来方法がある。
【０００４】
図８に、１つの従来型電子機器を示す。カバー９２に近い蓋９３の端部は、傾斜面９４を有する。該カバー９２は該傾斜面９４に沿って回動するので、該蓋９３は該カバー９２の回動を阻止することはない。しかしながら、該傾斜面９４は、従来型電子機器の全体の外観を損なう。
【０００５】
図９に、もう１つの従来型電子機器を示す。上記カバー９２Ａと上記蓋９３Ａの間には、隙間が形成されている。従って、該カバー９２Ａは、これが回動する際に、該蓋９３Ａから遠のいている。しかしながら、この隙間は、従来型電子機器の外観を損なうだけでなく、該従来型電子機器のザイズを増大させることになる。
【０００６】
したがって、カバー９２，９２Ａと蓋９３，９３Ａとの当接を解消するための上記従来方法は、従来型電子機器の外観を損ない、該従来型電子機器のサイズを増大させる。従来型電子機器の外観を損ない、該従来型電子機器のサイズを増大させることは、市場の要請に逆らうことになる。
【０００７】
これらの欠点を克服するために、本考案は、上述の問題点を緩和し、或いは、除去することができるヒンジおよび該ヒンジを備えた電子機器を提供する。
【考案の概要】
【考案が解決しようとする課題】
【０００８】
本考案の主な目的は、カバーを所望通りに持ち上げることが出来、ヒンジおよびそのヒンジを備えた電子機器を提供することを課題とする。
【０００９】
本考案の他の目的、利点および新規な特徴は、添付図面と共に、以下の詳細な記載から更に明らかとなる。
【課題を解決するための手段】
【００１０】
本考案のヒンジは、カバーと電子機器のベースの間に設けられる。この蓋は、上記ヒンジを覆い、ベースに確実に取り付けられる。このヒンジは、アーチ状曲面と回転軸を有する。該カバーが或る角度で回動すると、回転軸がアーチ状曲面に当接してカバーを持ち上げると、カバーは蓋から選択的に遠のく。従って、電子機器の形状は損なわれず、そして、カバーは蓋に干渉しない。
【考案の効果】
【００１１】
本考案のヒンジおよびそのヒンジを備えた電子機器は、上記カバーが或る角度に回転すると、上記ヒンジはカバーを円滑にリフトアップする。従って、上記電子機器の形状は、その外観を損なうものではなく、上記カバーは上記蓋に干渉しない。さらに、上述の電子機器は小さいコンパクトなサイズとすることができ、上記カバーが円滑に回転して、非常に美しい形状とすることができる。
【図面の簡単な説明】
【００１２】
【図１】本考案に従うヒンジの一部分解斜視図である。
【図２】図１のヒンジの斜視図である。
【図３】図１のヒンジを備えた、本考案に従う電子機器の斜視図である。
【図４】本考案に従う電子機器の他の実施例の斜視図である。
【図５】図３の電子機器の一部拡大断面図である。
【図６ａ】図３の電子機器の作用側面図である。
【図６ｂ】図３の電子機器の作用側面図である。
【図７ａ】図３の電子機器の一部を拡大した作用断面図である。
【図７ｂ】図３の電子機器の一部を拡大した作用断面図である。
【図７ｃ】図３の電子機器の一部を拡大した作用断面図である。
【図８】従来技術にしたがう従来型電子機器の作用側面図である。
【図９】従来技術にしたがう他の従来型電子機器の作用側面図である。
【考案を実施するための形態】
【００１３】
以下、本考案のヒンジおよびそのヒンジを備えた電子機器の実施例について、図面を参照しながら説明する。
図１おおび図２において、本考案によるヒンジは、チルト組立体１０、回転組立体２０およびブラケット組立体３０から成る。
【００１４】
上記チルト組立体１０は、中央フレーム１１、第１チルト軸１２、第２チルト軸１３、２つの規制（limiting）座金１２１、スプリング１４および位置決め組立部材１５から成る。
【００１５】
上記中央フレーム１１は、第１側面、第２側面、第１端面、第２端面、透孔１１１、２つの位置決め突起１１２および規制突起１１３を有する。該第２側面は上記第１側面の反対側にある。上記第２端面は、上記第１端面の反対側にあり、上記第１および第２側面に隣接する。上記透孔１１１は上記第１および第２側面を貫いて縦軸（長手）方向に形成されている。上記位置決め突起１１２は上記第２側面に形成され、上記透孔１１１に隣接する。上記規制突起１１３は上記第２側面に形成されると共に該側面から縦軸方向に突出する。
【００１６】
上記第１チルト軸１２は、上記中央フレーム１１の第１端面に形成されると共に該端面から横軸（上記縦軸に対して直交する軸：以下同じ）方向に突出し、非円形断面となっている。第２チルト軸１３は、上記中央フレーム１１の第２端面に形成されると共に該端面から横軸方向に突出し、非円形断面となっている。
【００１７】
上記規制座金１２１は、上記第１および第２チルト軸１２、１３に各々確実に取り付けられている。各規制座金１２１は、外周縁と規制突起１２２を有する。該規制突起１２２は、上記規制座金１２１の外周縁に形成され、該座金の外周縁から放射方向に突出する。
【００１８】
上記スプリング１４は、上記第２チルト軸１３の周りに設けられる。
上記位置決め組立部材１５は、上記第２チルト軸１３の周りに設けられ、位置決め機能を発揮するように上記スプリング１４に当接している。上記位置決め組立部材１５は、相互に相対的に回転し、対応する位置決め突起と位置決め爪を有する、回転位置決め座金および固定位置決め座金から構成される。
【００１９】
上記回転組立体２０は、上記チルト組立体１０に連結され、スリーブ２１、回転軸２２、押圧座金２２４、保持座金２２５、弾性部材２３、２つのピン２４、位置決め座金２５、複数の弾性座金２６、規制リング２７および固定リング２８から成る。
【００２０】
上記スリーブ２１は中空であり、上記中央フレーム１１の透孔１１１を貫いて回転自在に設けられ、側壁、連結端、保持端、２つの溝２１１、取付ロッド２１２および２つの固定突起２１３を有する。上記保持端は、上記連結端の反対側にある。上記２つの溝２１１は、上記スリーブ２１の両側壁にそれぞれ形成されている。上記取付ロッド２１２は、上記スリーブ２１の連結端に形成されると共に該端から縦軸方向に突出しており、上記チルト組立体１０の中央フレーム１１を貫いて回転自在に設けられると共に、非円形断面を有し、そして、ネジ周壁を有する。上記２つの固定突起２１３は、上記スリーブ２１の保持端に離れて形成され、該端から縦軸方向に突出している。
【００２１】
上記回転軸２２は、上記スリーブ２１を貫いて摺動自在に設けられ、先端２２１、取付端２２２および取付孔２２３を有する。上記先端２２１は、上記スリーブ２１の連結端から外方に突出すると共に、上記取付ロッド２１２から外方に突出する。上記取付端２２２は、上記スリーブ２１の保持端から外方に突出する。上記取付孔２２３は、上記回転軸２２を貫いて横軸方向に形成され、上記スリーブ２１の溝２１１と同一方向に整列される。
【００２２】
上記押圧座金２２４は、上記スリーブ２１に摺動自在に設けられ、上記回転軸２２の周りに設けられる。
【００２３】
上記保持座金２２５は、上記スリーブ２１の保持端に確実に取り付けられ、上記回転軸２２の周りに設けられ、そして、上記スリーブ２１の固定突起２１３の周りに設けられている２つの切込みを有する。
【００２４】
上記弾性部材２３は、上記スリーブ２１内に設けられると共に、上記回転軸２２の周りに設けられ、上記押圧座金２２４と上記保持座金２２５に挟設されている。
【００２５】
上記２つのピン２４は、上記スリーブ２１の溝２１１に各々設けられ、上記回転軸２２の取付孔２２３に確実に取り付けられており、上記弾性部材２３を押圧し、そして、上記押圧座金２２４を押圧する。
【００２６】
上記位置決め座金２５は、上記スリーブ２１の取付ロッド２１２の周りに設けられ、上記取付ロッド２１２、隣接面および２つの位置決め溝２５１の形状に似るように設計された非円形中心孔を有する。上記位置決め座金２５の隣接面は、上記中央フレーム１１の第２側面に面する。上記２つの位置決め溝２５１は、上記位置決め座金２５の隣接面に形成され、上記中央フレーム１１の上記位置決め突起１１２に各々係合して位置決め機能を発揮する。
【００２７】
上記複数の弾性座金２６は、上記スリーブ２１の取付ロッド２１２の周りに設けられ、上記位置決め座金２５に隣接する。
【００２８】
上記規制リング２７は、上記スリーブ２１の取付ロッド２１２の周りに確実に取り付けられ、非円形中心孔、環状縁、および規制突起２７１を有する。該非円形中心孔は、上記取付ロッド２１２に嵌合して、上記規制リング２７を取付ロッド２１２に確実に取り付ける。上記規制突起２７１は、上記規制リング２７の周面から放射方向に形成され、上記中央フレーム１１の規制突起１１３に選択的に当接して、上記スリーブ２１の回転角を規制する。
【００２９】
上記固定リング２８は、上記スリーブ２１の取付ロッド２１２の周りに確実に取り付けられて、上記規制リング２７、弾性座金２６および位置決め座金２５を保持する。そして、上記固定リング２８は、上記取付ロッド２１２のネジ周壁に螺合するナットであってもよい。
【００３０】
上記ブラケット組立体３０は、上記チルト組立体１０および上記回転組立体２０に連結され、第１チルトブラケット３１、第２チルトブラケット３２および回転ブラケット３３から成る。
【００３１】
上記第１チルトブラケット３１は、上記第１チルト軸１２の周りに回転可能に設けられ、端縁、規制孔３５および延設翼を有する。該規制孔３５は、上記第１チルトブラケット３１を貫いて形成され、対応する規制座金１２１の規制突起１２２を選択的に受け止める。上記延設翼は、上記第１チルトブラケット３１の端縁に形成されると共に突設され、上記中央フレーム１１に符合し、アーチ状曲面３４を有する。該アーチ状曲面３４は、上記回転軸２２に面し、該回転軸２２の先端２２１に選択的に当接する。
【００３２】
上記第２チルトブラケット３２は、上記第２チルト軸１３の周りに回転自在に取り付けられ、規制孔３７を有する。該規制孔３７は、第２チルトブラケット３２を貫いて形成され、対応する規制座金１２１の規制突起１２２を選択的に受け止め、該第２チルトブラケット３２の回転角を制限する。
【００３３】
上記回転ブラケット３３は、上記回転軸２２に確実に取り付けられ、固定孔３６を有する。該固定孔３６は、上記回転ブラケット３３を貫いて形成され、上記取付端２２２に嵌合して、上記回転ブラケット３３を上記回転軸２２に確実に取り付ける。
【００３４】
図３ないし図５において、本考案による電子機器は、カバー４０、ベース５０、上述のヒンジおよび蓋６０から成る。上記カバー４０は第２チルトブラケット３２枢着されている。上記回転軸２２の取付端２２２は、上記カバー４０に確実に連結されるか、または、上記回転ブラケット３３が上記カバー４０に確実に取り付けられる。上記第１および第２チルトブラケット３１、３２は、上記ベース５０に確実に取り付けられる。上記蓋６０は、上述のようにヒンジを覆い、該ベース５０に確実に取り付けられる。上記第１チルトブラケット３１はベース５０に形成してもよい。すなわち、該ベース５０は、上記回転軸２２に面するアーチ状曲面を形成して、上記回転軸２２の先端２２１に選択的に当接する。
【００３５】
図６ａないし図７ｃにおいて、上記カバー４０は上記ベース５０に対して枢着されている。該カバー４０は、上記回転軸２２および上記中央フレーム１１を保持して、上記第１および第２チルトブラケット３１、３２に対して枢着されている。上記回転軸２２の先端２２１が上記アーチ状曲面３４に当接する時、該回転軸２２は、図６ｂおよび図７ｂに示すようにＢ方向にスライドし、上記カバー４０をリフトアップする。該カバー４０は上記蓋６０から離れるので、該カバー４０は回動しても該蓋６０に干渉しない。
【００３６】
上記回転軸２２がＢ方向にスライドすると、上記ピン２４が上記溝２１１内をスライドする。該ピン２４は上記押圧座金２２４を押して、上記弾性部材２３を押圧する。上記カバー４０が連続して回転すると、上記回転軸２２の先端２２１が上記アーチ面３４から離れ、上記回転軸２２を押す力がＢ方向にスライドして離れる。そして、上記弾性部材２３は、上記押圧座金２２４を押圧して、上記ピン２４をスライドさせるように押す。該ピン２４は上記回転軸２２を元の位置に元の位置に押してスライドさせる。従って、上記カバー４０は元の位置に戻る。
【００３７】
上述のヒンジおよび電子機器は次のような利点を有する。上記カバー４０が或る角度に回転すると、上記ヒンジはカバー４０を円滑にリフトアップする。従って、上記電子機器の形状は、その外観を損なうものではなく、上記カバー４０は上記蓋６０に干渉しない。さらに、上述の電子機器は小さいサイズとすることができ、上記カバー４０が円滑に回転して、非常に美しい形状とすることができる。
【００３８】
たとえ本考案の多数の特徴や利点が上述のように記載されていたとしても、本考案の構成や特徴は単なる実施例に過ぎず、本考案はこれらの実施例に限定されるものではない。特に本考案の構成部材の形、サイズおよび配置等の変更は、詳細な説明では十分ではなく、請求範囲において表現される用語は、広い一般的な意味にしたがって解釈されるべきである。
【符号の説明】
【００３９】
１０    チルト組立体
１１    中央フレーム
１１１  透孔
１１２  位置決め突起
１１３  規制突起
１２    第１チルト軸
１２１  規制座金
１２２  規制突起
１３    第２チルト軸
１４    スプリング
１５    位置決め組立部材
２０    回転組立体
２１    スリーブ
２１１  溝
２１２  取付ロッド
２１３  固定突起
２２    回転軸
２２１  先端
２２２  取付端
２２３  取付孔
２２４  押圧座金
２２５  保持座金
２３    弾性部材
２４    ピン
２５    位置決め座金
２５１  位置決め溝
２６    弾性座金
２７    規制リング
２７１  規制突起
２８    固定リング
３０    ブラケット組立体
３１    第１チルトブラケット
３２    第２チルトブラケット
３３    回転ブラケット
３４    アーチ状曲面
３５    規制孔
４０    カバー
５０    ベース
６０    蓋
【図１】
0003152018.tif 000003
【図２】
0003152018.tif 000004
【図３】
0003152018.tif 000005
【図４】
0003152018.tif 000006
【図５】
0003152018.tif 000007
【図６ａ】
0003152018.tif 000008
【図６ｂ】
0003152018.tif 000009
【図７ａ】
0003152018.tif 000010
【図７ｂ】
0003152018.tif 000011
【図７ｃ】
0003152018.tif 000012
【図８】
0003152018.tif 000013
【図９】
0003152018.tif 000014
【手続補正書】
【提出日】平成21年5月13日(2009.5.13)
【手続補正１】
【補正対象書類名】実用新案登録請求の範囲
【補正対象項目名】全文
【補正方法】変更
【補正の内容】
【実用新案登録請求の範囲】
【請求項１】
第１側面と、上記第１側面の反対側にある第２側面と、第１端面と、上記第１端面の反対側にあり、上記第１および第２側面に隣接する第２端面と、および上記第１および第２側面を貫いて縦軸方向に形成される透孔を有する中央フレームと、
上記中央フレームの第１端面に形成されると共に該端面から横軸方向に突出する第１チルト軸と、および
上記中央フレームの第２端面に形成されると共に該端面から横軸方向に突出する第２チルト軸と、
を有するチルト組立体と；
上記チルト組立体の中央フレームの透孔を貫いて回転自在に設けられ、
側壁と、連結端と、および該連結端の反対側にある保持端を有する中空のスリーブと、
該スリーブを貫いて摺動自在に設けられ、上記スリーブの連結端から外方に突出する先端と、および該スリーブの保持端から外方に突出する取付端を有する回転軸と、および
上記スリーブに設けられ、上記回転軸の周りに設けられる弾性部材と
から成る回転組立体と；および
上記チルト組立体および上記回転組立体に連結され、
端縁と、および第１チルトブラケットの端縁に形成されると共にこれから突設され、上記回転軸に面するアーチ状曲面を有し、該回転軸の先端に選択的に隣接する延設翼を有する上記第１チルトブラケットと、および
上記第２チルト軸の周りに回転自在に取り付けられる第２チルトブラケットと
から成るブラケット組立体と；
から構成されることを特徴とするヒンジ。
【請求項２】
上記スリーブが、この側壁を貫いて形成され相互に反対側にある２つの溝を有し、
上記回転軸が、上記回転軸を貫いて横軸方向に形成され、上記スリーブの溝と同一方向に整列される取付孔を有し、および
上記回転組立体が、上記スリーブの溝に各々設けられ、上記回転軸の取付孔に確実に取り付けられ、上記弾性部材に対して押圧する２つのピンを有する
ことを特徴とする請求項１に記載のヒンジ。
【請求項３】
上記回転組立体が、上記スリーブに摺動自在に設けられ、上記回転軸の周りに設けられる押圧座金と、および上記スリーブの保持端に確実に取り付けられ、上記回転軸の周りに設けられる保持座金を有し、
上記弾性部材が上記押圧座金と保持座金の間に設けられると共に隣接し、
上記ピンが上記押圧座金を押圧する
ことを特徴とする請求項２に記載のヒンジ。
【請求項４】
上記チルト組立体が、上記第２チルト軸の周りに設けられるスプリングと、および上記第２チルト軸の周りに設けられ、位置決め機能を発揮するように上記スプリングに当接する位置決め組立部材を有する
ことを特徴とする請求項１ないし３のいずれかの項に記載のヒンジ。
【請求項５】
上記チルト組立体が、上記第１および第２チルト軸に各々確実に設けられる２つの規制座金を有し、各規制座金が、外縁と、上記規制座金の外縁に形成され、該座金の外周縁から放射方向に突出する規制突起を有し、
上記第１チルトブラケットが、上記第１チルトブラケットを貫いて形成され、対応する規制座金の規制突起を選択的に受け止める規制孔を有し、および
上記第２チルトブラケットが、上記第２チルトブラケットを貫いて形成され、対応する規制座金の規制突起を選択的に受け止める規制孔を有する
ことを特徴とする請求項１ないし４のいずれかの項に記載のヒンジ。
【請求項６】
上記チルト組立体の中央フレームが、上記第２側面に形成され、上記中央フレームの透孔に隣接する２つの位置決め突起と、および上記第２側面に形成されると共に該側面から縦軸方向に突出する規制突起を有し、
上記スリーブが、上記スリーブの連結端に形成されると共に該端から縦軸方向に突出し、上記チルト組立体の中央フレームを貫いて回転自在に設けられ、非円形断面を有する取付ロッドを有し、および
上記回転組立体が、
上記スリーブの取付ロッドの周りに設けられ、上記取付ロッドの形状に符合する非円形中心孔と、上記中央フレームの第２側面に面する隣接面と、および位置決め座金の隣接面に形成され、上記中央フレームの上記位置決め突起に各々係合する２つの位置決め溝を有する上記位置決め座金と、
上記スリーブの取付ロッドの周りに設けられ、上記位置決め座金に隣接する複数の弾性座金と、
上記スリーブの取付ロッドに係合する非円形中心孔と、環状縁と、および規制リングの環状縁と交差するように形成され、上記中央フレームの規制突起に選択的に隣接する規制突起を有する上記規制リングと、および
上記スリーブの取付ロッドの周りに確実に取り付けられて上記規制リングと弾性座金を保持する固定リングを有する
ことを特徴とする請求項１ないし５のいずれかの項に記載のヒンジ。
【請求項７】
上記ブラケット組立体が、上記回転軸に確実に取り付けられる回転ブラケットを有することを特徴とする請求項１ないし６のいずれかの項に記載のヒンジ。
【請求項８】
ベースと、ベースに回動自在に連結されるカバーと、上記ベースと上記カバーの間に連結され、下記の構成を有するヒンジと、および蓋と、から成る電子機器であって、上記ヒンジが、第１側面と、上記第１側面の反対側にある第２側面と、第１端面と、上記第１端面の反対側にあり、上記第１および第２側面に隣接する第２端面および上記第１および第２側面を貫いて縦軸方向に形成される透孔を有する中央フレームと、
上記中央フレームの第１端面に形成されると共に該端面から横軸方向に突出する第１チルト軸と、および
上記中央フレームの第２端面に形成されると共に該端面から横軸方向に突出する第２チルト軸と、
を有するチルト組立体と；
上記チルト組立体の中央フレームの透孔を貫いて回転自在に設けられ、
側壁と、連結端と、および該連結端の反対側にある保持端を有する中空のスリーブと、
該スリーブを貫いて摺動自在に設けられ、上記スリーブの連結端から外方に突出する先端と、および該スリーブの保持端から外方に突出する取付端を有する回転軸と、および
上記スリーブに設けられ、上記回転軸の周りに設けられる弾性部材とから成る回転組立体と；および
上記チルト組立体および上記回転組立体に連結され、端縁と、および第１チルトブラケットの端縁に形成されると共にこれから突設され、上記回転軸に面するアーチ状曲面を有し、該回転軸の先端に選択的に隣接する延設翼を有する上記第１チルトブラケットと、および
上記第２チルト軸の周りに回転自在に取り付けられる第２チルトブラケットとから成るブラケット組立体と；
から構成される、ことを特徴とするヒンジを備えた電子機器。
【請求項９】
上記ブラケット組立体が、上記回転軸に確実に取り付けられ、上記カバーに確実に取り付けられる回転ブラケットを有する
ことを特徴とする請求項８に記載のヒンジを備えた電子機器。
【請求項１０】
上記スリーブが、この側壁を貫いて形成され相互に反対側にある２つの溝を有し、
上記回転軸が、上記回転軸を貫いて横軸方向に形成され、上記スリーブの溝と同一方向に整列される取付孔を有し、および
上記回転組立体が、上記スリーブの溝に各々設けられ、上記回転軸の取付孔に確実に取り付けられ、上記弾性部材に対して押圧する２つのピンを有する
ことを特徴とする請求項９に記載のヒンジを備えた電子機器。
【請求項１１】
上記回転組立体が、
上記スリーブに摺動自在に設けられ、上記回転軸の周りに設けられ押圧座金と、
上記スリーブの保持端に確実に取り付けられ、上記回転軸の周りに設けられる保持座金と、
上記押圧座金と上記保持座金の間に設けられ、隣接する弾性部材と、および、
上記押圧座金に対して押圧するピンを有する
ことを特徴とする請求項１０に記載のヒンジを備えた電子機器。
【請求項１２】
上記チルト組立体が、上記第２チルト軸の周りに設けられるスプリングと、および、上記第２チルト軸の周りに設けられ、チルト組立体のスプリングに当接する位置決め組立部材を有する
ことを特徴とする請求項８ないし１１のいずれかの項に記載のヒンジを備えた電子機器。
【請求項１３】
上記チルト組立体が、上記第１および第２チルト軸に各々確実に設けられる２つの規制座金を有し、各規制座金が、外周縁と、上記規制座金の外周縁に形成され、該座金の外周縁から放射方向に突出する規制突起を有し、
上記第１チルトブラケットが、上記第１チルトブラケットを貫いて形成され、対応する規制座金の規制突起を選択的に受け止める規制孔を有し、および
上記第２チルトブラケットが、上記第２チルトブラケットを貫いて形成され、対応する規制座金の規制突起を選択的に受け止める規制孔を有する
ことを特徴とする請求項８ないし１２のいずれかの項に記載のヒンジを備えた電子機器。
【請求項１４】
上記チルト組立体の中央フレームが、上記第２側面に形成され、上記中央フレームの透孔に隣接する２つの位置決め突起と、および上記第２側面に形成されると共に該側面から縦軸方向に突出する規制突起を有し、
上記スリーブが、この連結端に形成されると共に該端から縦軸方向に突出し、上記チルト組立体の中央フレームを貫いて回転自在に設けられ、非円形断面を有する取付ロッドを有し、および
上記回転組立体が、
上記スリーブの取付ロッドの周りに設けられ、上記取付ロッドの形状に符合する非円形中心孔と、上記中央フレームの第２側面に面する隣接面と、および位置決め座金の隣接面に形成され、上記中央フレームの上記位置決め突起に各々係合する２つの位置決め溝を有する上記位置決め座金と、
上記スリーブの取付ロッドの周りに設けられ、上記位置決め座金に隣接する複数の弾性座金と、
上記スリーブの取付ロッドに係合する非円形中心孔と、環状縁と、および規制リングの環状縁と交差するように形成され、上記中央フレームの規制突起に選択的に隣接する規制突起を有する上記規制リングと、および
上記スリーブの取付ロッドの周りに確実に取り付けられて上記規制リングと弾性座金を保持する固定リングを有する
ことを特徴とする請求項８ないし１３のいずれかの項に記載のヒンジを備えた電子機器。